(57)【要約】【課題】  基準電圧を別に用意することなく、消費電力を低減できるＤＣ／ＤＣコンバータを提供する。  【解決手段】  ＤＣ／ＤＣ変換回路３４がイネーブル信号ＥＮを受けて出力電圧を蓄積コンデンサＣに供給し、直列接続された第１抵抗Ｒ１と第２抵抗Ｒ２がこの出力電圧に基づいて第１の電圧Ｖ１を発生する。シュミットトリガーＳＴは第１の電圧Ｖ１に接続して、第１の電圧Ｖ１が第２の電圧よりも低いときにインバータＩＮＶ１を介して第１の制御信号Ｓ１を出力し、第１の電圧Ｖ１が第３の電圧よりも高いときにインバータＩＮＶ１を介して第２の制御信号Ｓ２を出力する。オシレータ３２は第１の制御信号Ｓ１を受けるとオフし、ＤＣ／ＤＣ変換回路３０の出力電圧の供給を停止させ、第２の制御信号Ｓ２を受けるとオンしてイネーブル信号ＥＮを出力し、ＤＣ／ＤＣ変換回路３０に蓄積コンデンサＣへの出力電力の供給を行わせる。  【選択図】      図３
2006087226.tif 000002
【特許請求の範囲】
【請求項１】
イネーブル信号を受けて出力電圧を蓄積コンデンサに供給するＤＣ／ＤＣ変換回路、
前記蓄積コンデンサ上の前記出力電圧に応じて第１の電圧を発生する検出回路、
前記検出回路に接続して、前記第１の電圧が第２の電圧よりも低いときに第１の制御信号を出力する一方、前記第１の電圧が第３の電圧よりも高いときに第２の制御信号を出力するシュミットトリガーを備えた制御回路、
および、
前記第１の制御信号を受けてオフし、前記ＤＣ／ＤＣ変換回路の前記出力電圧の供給を停止させる一方、前記第２の制御信号を受けてオンし、前記イネーブル信号を出力して前記ＤＣ／ＤＣ変換回路に前記蓄積コンデンサへの前記出力電圧の供給を行わせるスイッチング回路、
から構成されるＤＣ／ＤＣコンバータ。
【請求項２】
前記検出回路は、
その第１の端が前記ＤＣ／ＤＣ変換回路に接続する第１抵抗と、
前記第１抵抗の第２の端に接続する第１の端を有し、前記シュミットトリガーの入力端に接続する出力端として機能する第２抵抗と、
を備えてなる分圧回路である、請求項１記載のＤＣ／ＤＣコンバータ。
【請求項３】
前記制御回路が、前記シュミットトリガーの出力端と接続する入力端と、前記スイッチング回路に接続する出力端とを有したインバータをさらに備える、請求項１記載のＤＣ／ＤＣコンバータ。
【請求項４】
前記第２の電圧は前記第３の電圧よりも低い、請求項１記載のＤＣ/ＤＣコンバータ。
【請求項５】
前記検出回路と前記制御回路の間に接続されて、前記第１の電圧を増幅する増幅器をさらに備える請求項１記載のＤＣ／ＤＣコンバータ。
【請求項６】
前記スイッチング回路がオシレータである、請求項１記載のＤＣ／ＤＣコンバータ。
【請求項７】
請求項１記載のＤＣ／ＤＣコンバータ、およびこのＤＣ／ＤＣコンバータに接続する表示素子を備えてなるディスプレイシステムであって、
前記表示素子の電源が前記ＤＣ/ＤＣコンバータからの出力電圧によって供給される、ディスプレイシステム。
【請求項８】
前記表示素子は、液晶表示素子、プラズマディスプレイ素子および冷陰極線管表示素子のうちの少なくともいずれか１種である、請求項７記載のディスプレイシステム。
【請求項９】
イネーブル信号を受けてイネーブルされ、出力信号を出力するＤＣ／ＤＣ変換回路、およびこのＤＣ／ＤＣ変換回路に接続し、前記出力信号に応じて第１の電圧を発生する検出回路と、
前記ＤＣ／ＤＣ変換回路に接続するトリガーを有し、前記第１の電圧に応じて前記イネーブル信号を出力するスイッチと、
から構成される回路。
【請求項１０】
前記トリガーがシュミットトリガーである、請求項９記載の回路。
【請求項１１】
前記トリガーは、所定のトリガーレベルを持っており、前記第１の電圧がこのトリガーレベルよりも高いときに、第２の制御信号を出力して前記ＤＣ／ＤＣ変換回路をイネーブルにする、請求項９記載の回路。
【請求項１２】
前記トリガーは、所定のトリガーレベルを持っており、前記第１の電圧がこのトリガーレベルよりも低いときに、第１の制御信号を出力して前記ＤＣ／ＤＣ変換回路をディセーブルにする、請求項９記載の回路。
【請求項１３】
前記スイッチが、前記トリガーと前記ＤＣ/ＤＣ変換回路の間に接続されてイネーブルされるとイネーブル信号を出力するオシレータと、前記トリガーとから構成されており、
前記トリガーは、第１の制御信号を出力して前記オシレータをディセーブルにする一方、第２の制御信号を出力して前記オシレータをイネーブルにする、請求項９記載の回路。
【請求項１４】
前記検出回路と前記スイッチの間に接続される増幅器をさらに備える請求項９記載の回路。
【請求項１５】
電力を消費する装置、および、
前記装置に接続して電力を供給する請求項９に記載の回路、
から構成される電子デバイス。
【請求項１６】
前記装置はディスプレイシステムである請求項１５記載の電子デバイス。
【発明の詳細な説明】
【技術分野】
【０００１】
本発明は、ＤＣ／ＤＣコンバータに関し、より詳細には、基準電圧を別に用意することなく、消費電力を低減できるＤＣ／ＤＣコンバータに関する。
【背景技術】
【０００２】
図１に示すのは、公知のＤＣ／ＤＣコンバータ１０の回路図である。このコンバータ１０では、オシレータ１１が入力信号Ｓｉｎに応じてＤＣ／ＤＣ変換回路１２をイネーブルにすると、ＤＣ／ＤＣ変換回路１２は、蓄積コンデンサＣを充電すべくこれに負電圧を供給する。そして、ＤＣ／ＤＣ変換回路１２は、所定の電圧まで蓄積コンデンサＣを充電してその電圧を維持するが、この間、ＤＣ／ＤＣ変換回路１２は常にオン状態を保持しており、電力を消費し続けている。
【０００３】
図２に示すのは、別な公知のＤＣ／ＤＣコンバータ２０の回路図である。このコンバータ２０では、コンパレータ２４がノードＤ上の電圧に基づいて駆動信号を発生し、これをオシレータ２１に出力することにより、ＤＣ／ＤＣ変換回路２３が負荷を充電するか否かの制御がされる。かかる構成の公知のコンバータ２０は、基準電圧Ｖｒｅｆを別に用意しなければならない。
【発明の開示】
【発明が解決しようとする課題】
【０００４】
上述の公知技術の欠点に鑑みて、本発明は、別に基準電圧を用意することなしに、消費電力を低減することのできるＤＣ／ＤＣコンバータを提供することにある。
【課題を解決するための手段】
【０００５】
上記問題を解決するため、本発明は、イネーブル信号を受けて出力電圧を蓄積コンデンサに供給するＤＣ／ＤＣ変換回路、前記蓄積コンデンサ上の前記出力電圧に応じて第１の電圧を発生する検出回路、前記検出回路に接続して、前記第１の電圧が第２の電圧よりも低いときに第１の制御信号を出力する一方、前記第１の電圧が第３の電圧よりも高いときに第２の制御信号を出力するシュミットトリガーを備えた制御回路、および、前記第１の制御信号を受けてオフし、前記ＤＣ／ＤＣ変換回路の前記出力電圧の供給を停止させる一方、前記第２の制御信号を受けてオンし、前記イネーブル信号を出力して前記ＤＣ／ＤＣ変換回路に前記蓄積コンデンサへの前記出力電圧の供給を行わせるスイッチング回路、から構成されるＤＣ／ＤＣコンバータに関する。
【０００６】
前記検出回路は、その第１の端が前記ＤＣ／ＤＣ変換回路に接続する第１抵抗と、前記第１抵抗の第２の端に接続する第１の端を有し、前記シュミットトリガーの入力端に接続する出力端として機能する第２抵抗と、を備えてなる分圧回路であることが好ましい。
【０００７】
前記制御回路が、前記シュミットトリガーの出力端と接続する入力端と、前記スイッチング回路に接続する出力端とを有したインバータをさらに備えることが好ましい。
【０００８】
前記第２の電圧は前記第３の電圧より低いことが好ましい。
【０００９】
前記検出回路と前記制御回路の間に接続されて、前記第１の電圧を増幅する増幅器をさらに備えることが好ましい。
【００１０】
前記スイッチング回路がオシレータであることが好ましい。
【００１１】
また、本発明は、上述のＤＣ／ＤＣコンバータ、およびこのＤＣ／ＤＣコンバータに接続する表示素子を備えてなるディスプレイシステムであって、前記表示素子の電源が前記ＤＣ/ＤＣコンバータからの出力電圧によって供給される、ディスプレイシステムに関する。
【００１２】
前記表示素子は、液晶表示素子、プラズマディスプレイ素子および冷陰極線管表示素子のうちの少なくともいずれか１種であることが好ましい。
【００１３】
また、本発明は、イネーブル信号を受けてイネーブルされ、出力信号を出力するＤＣ／ＤＣ変換回路、およびこのＤＣ／ＤＣ変換回路に接続し、前記出力信号に応じて第１の電圧を発生する検出回路と、前記ＤＣ／ＤＣ変換回路に接続するトリガーを有し、前記第１の電圧に応じて前記イネーブル信号を出力するスイッチと、から構成される回路に関する。
【００１４】
前記トリガーがシュミットトリガーであることが好ましい。
【００１５】
前記トリガーは、所定のトリガーレベルを持っており、前記第１の電圧がこのトリガーレベルよりも高いときに、第２の制御信号を出力して前記ＤＣ／ＤＣ変換回路をイネーブルにすることが好ましい。
【００１６】
前記トリガーは、所定のトリガーレベルを持っており、前記第１の電圧がこのトリガーレベルよりも低いときに、第１の制御信号を出力して前記ＤＣ／ＤＣ変換回路をディセーブルにすることが好ましい。
【００１７】
前記スイッチが、前記トリガーと前記ＤＣ/ＤＣ変換回路の間に接続されてイネーブルされるとイネーブル信号を出力するオシレータと、前記トリガーとから構成されており、前記トリガーが、第１の制御信号を出力して前記オシレータをディセーブルにする一方、第２の制御信号を出力して前記オシレータをイネーブルにすることが好ましい。
【００１８】
前記検出回路と前記スイッチの間に接続される増幅器をさらに備えることが好ましい。
【００１９】
また、本発明は、電力を消費する装置、および、前記装置に接続して電力を供給する上述の回路、から構成される電子デバイスに関する。
【００２０】
前記装置はディスプレイシステムであることが好ましい。
【発明の効果】
【００２１】
本発明のＤＣ／ＤＣコンバータによれば、その回路構成中のＤＣ／ＤＣ変換回路とオシレータが蓄積コンデンサと負荷にかかる電圧により制御されるので、これらのオン状態が保持され続けるということがなくなって、ＤＣ／ＤＣ変換回路およびオシレータにより消費される電力が減少する。よって、基準電圧を別に用意しなくても、ＤＣ／ＤＣコンバータの消費電力が低減され得る。
【発明を実施するための最良の形態】
【００２２】
本発明に係る回路は、一実施形態において、イネーブルにされると出力電圧を出力するＤＣ／ＤＣ変換回路と、前記出力電圧に応じて前記ＤＣ／ＤＣ変換回路をイネーブルまたはディセーブルにするスイッチとから構成される。一例において、ＤＣ／ＤＣ変換回路は、イネーブル信号を受けて出力電圧を蓄積コンデンサに供給する。一例において、本発明に係る回路は、前記出力電圧に応じた第１の電圧を発生すべく直列接続された第１抵抗と第２抵抗を備えている。一例において、前記スイッチは、前記第１の電圧に接続し、前記第１の電圧が第２の電圧よりも低い場合にインバータを介して第１の制御信号を出力する一方、前記第１の電圧が第３の電圧よりも高い場合に前記インバータを介して第２の制御信号を出力するシュミットトリガーを備えている。ここで、前記第２の電圧は前記第３の電圧よりも低い電圧である。一例において、前記スイッチは、前記第１の制御信号を受けてオフし、前記ＤＣ／ＤＣ変換回路の前記出力電圧の供給を停止させる一方、前記第２の制御信号を受けオンすると共に前記イネーブル信号を出力して、前記ＤＣ／ＤＣ変換回路に前記蓄積コンデンサへの前記出力電圧の供給を行わせるオシレータをさらに備えている。
【００２３】
また、別な実施形態において、本発明に係る回路は、検出回路と制御回路の間に接続されて前記第１の電圧を増幅する増幅器を備える。さらに、別な実施形態において、スイッチング回路はオシレータとすることができる。
【００２４】
以下に、本発明を実施するための最良の形態を示すが、これは、本発明の基本原理を説明する目的で記載するものであって、限定の意味に受け取られてはならない。つまり、本発明の範囲は、特許請求の範囲の記載によって決定される。
【００２５】
図３は、本発明の一実施形態によるＤＣ／ＤＣコンバータ３０の回路図である。図３に示されるように、このＤＣ／ＤＣコンバータ３０は、ＤＣ／ＤＣ変換回路３４、検出回路３６、ならびに、制御回路３８およびオシレータ３２を有するスイッチ３７から構成されている。ＤＣ／ＤＣ変換回路３４は、イネーブル信号ＥＮを受けて出力電圧Ｖｏｕｔを蓄積コンデンサＣに供給するものである。なお、図示する抵抗Ｒ６は、例えば負荷とすることができる。検出回路３６は、蓄積コンデンサＣ上の出力電圧に応じて第１の電圧Ｖ１を発生する。この実施形態において、検出回路３６は、第１抵抗Ｒ４および第２抵抗Ｒ５から構成される分圧回路である。第１抵抗Ｒ４は、ＤＣ／ＤＣ変換回路３４に接続する第１の端と、第２抵抗Ｒ５に接続する第２の端を有している。つまり、第１の電圧Ｖ１は、出力電圧を分圧したものである。
【００２６】
スイッチ３７は、検出回路３６およびＤＣ／ＤＣ変換回路３４に接続しており、第１の電圧Ｖ１（即ち、出力電圧）に応じて、ＤＣ／ＤＣ変換回路３４をイネーブルまたはディセーブルにする。この実施形態におけるスイッチ３７の制御回路３８は、例えばシュミットトリガーＳＴなどのトリガー回路とインバータＩＮＶ１とを備えてなっており、検出回路３６に接続して第１の電圧Ｖ１を受ける。シュミットトリガーＳＴの入力端は、検出回路３６からの出力電圧Ｖ１に接続し、インバータＩＮＶ１の入力端は、シュミットトリガーＳＴの出力端に接続している。このようなシュミットトリガーＳＴは通常、第１のトリガーレベルと第２のトリガーレベルを有しており、例えば、第１のトリガーレベルは第２のトリガーレベルよりも高い値である。シュミットトリガーＳＴは、入力信号が第１のトリガーレベルよりも高い場合に、第１の論理レベル、例えばローの信号を出力し、入力信号が第１のトリガーレベルまで下がったときにも第１の論理レベルの信号を依然出力し続け、そして、入力信号が第２のトリガーレベルよりも低くなっときに初めて、今度は第２の論理レベル、例えばハイの信号を出力するものである。したがって、本発明における制御回路３８は、第１の電圧Ｖ１が第２の電圧Ｖ２よりも低いときに、第１の制御信号Ｓ１をオシレータ３２に出力し、一方、第１の電圧Ｖ１が第３の電圧よりも高いときに、第２の制御信号Ｓ２をオシレータ３２に出力する。
【００２７】
オシレータ３２は、インバータＩＮＶ１の出力とＤＣ／ＤＣ変換回路３４の間に接続しており、第１の制御信号Ｓ１を受け取るとオフして、ＤＣ／ＤＣ変換回路３４へのイネーブル信号ＥＮの出力を止めることにより、ＤＣ／ＤＣ変換回路３４の蓄積コンデンサＣと負荷Ｒ６への出力電力Ｖｏｕｔの供給を停止させる。一方、第２の制御信号Ｓ２を受け取ると、オシレータ３２はオンし、イネーブル信号ＥＮをＤＣ／ＤＣ変換回路３４へ出力することによって、ＤＣ／ＤＣ変換回路３４に蓄積コンデンサＣと負荷Ｒ６への出力電力Ｖｏｕｔの供給を行わせる。
【００２８】
図４は、本発明に係るＤＣ／ＤＣコンバータ３０の出力波形図である。この実施形態において、ＤＣ／ＤＣコンバータ３０により出力される出力電圧Ｖｏｕｔは負電圧である。なお、ここでは例として、上述の第２の電圧Ｖ２は３．８Ｖ、第３の電圧Ｖ３は４．４Ｖとそれぞれ設定する。
【００２９】
時刻ｔ０において、出力電圧Ｖｏｕｔが０Ｖのときに、検出回路３６は第１の電圧Ｖ１を発生してシュミットトリガーＳＴに出力する。この場合に例えば、Ｖｄｄが８Ｖであるとすると、第１の電圧Ｖ１は５．６Ｖである。かかる５．６Ｖである第１の電圧Ｖ１は、４．４Ｖである第３の電圧よりも高いことから、シュミットトリガーＳＴはトリガーされて、ローレベルの信号をインバータＩＮＶ１に出力する。インバータＩＮＶ１は、このシュミットトリガーＳＴからのローレベルの信号を、第２の制御信号Ｓ２であるハイレベルの信号に反転し、オシレータ３２に出力する。この第２の制御信号Ｓ２を受けて、オシレータ３２はオンすると共にイネーブル信号ＥＮを出力し、ＤＣ／ＤＣ変換回路３４に、蓄積コンデンサＣと負荷Ｒ６への出力電圧Ｖｏｕｔの供給を行わせる。よって、出力電圧Ｖｏｕｔは負であるため、蓄積コンデンサＣと負荷Ｒ６の電圧は０から負の方向に増加することとなる。
【００３０】
時刻ｔ１において、出力電圧Ｖｏｕｔが−６Ｖを超えると、検出回路３６は、第２の電圧（３．８Ｖ）よりも低い第１の電圧Ｖ１を発生して、シュミットトリガーＳＴに出力する。すると、シュミットトリガーＳＴはトリガーされて、ハイレベルの信号をインバータＩＮＶ１に出力する。インバータＩＮＶ１は、このシュミットトリガーＳＴからのハイレベルの信号を、第１の制御信号Ｓ１であるローレベルの信号に反転してオシレータ３２に出力する。この第１の制御信号Ｓ１を受けてオシレータ３２はオフし、ＤＣ／ＤＣ変換回路３４の蓄積コンデンサＣと負荷Ｒ６への出力電圧Ｖｏｕｓの供給を停止させる。このとき、蓄積コンデンサＣと負荷Ｒ６は電圧の放電を開始する。
【００３１】
時刻ｔ２において、出力電圧Ｖｏｕｔが−４Ｖよりも高くなると、検出回路３６は、第３の電圧Ｖ３（４．４Ｖ）よりも高い第１の電圧Ｖ１を発生して、シュミットトリガーＳＴに出力する。すると、シュミットトリガーＳＴは再びトリガーされ、ローレベルの信号をインバータＩＮＶ１に出力する。インバータＩＮＶ１は、このシュミットトリガーＳＴからのローレベルの信号を、第２の制御信号Ｓ２であるハイレベルの信号に反転してオシレータ３２に出力する。この第２の制御信号Ｓを受けてオシレータ３２はオンし、ＤＣ／ＤＣ変換回路３４に、蓄積コンデンサＣと負荷Ｒ６への出力電圧Ｖｏｕｔの供給を再開させる。その結果、蓄積コンデンサＣと負荷Ｒ６は−４Ｖから−６Ｖまで充電されることとなる。
【００３２】
時刻ｔ４において、出力電圧Ｖｏｕｔが再び−６Ｖを超えたときに、検出回路３６は、第２の電圧Ｖ２（３．８Ｖ）よりも低い第１の電圧Ｖ１を発生して、シュミットトリガーＳＴに出力する。すると、シュミットトリガーＳＴはトリガーされ、ハイレベルの信号をインバータＩＮＶ１に出力する。インバータＩＮＶ１は、このシュミットトリガーＳＴからのハイレベルの信号を、第１の制御信号Ｓ１であるローレベルの信号に反転してオシレータ３２に出力する。この第１の制御信号Ｓ１を受けてオシレータ３２はオフし、ＤＣ／ＤＣ変換回路３４の蓄積コンデンサＣと負荷Ｒ６への出力電圧Ｖｏｕｔの供給を停止させる。このとき、蓄積コンデンサＣと負荷Ｒ６は、電圧の放電を再開する。
【００３３】
上述のように本発明では、出力電圧が所定の範囲、例えば−４Ｖ〜−６Ｖの間に維持され得る。
【００３４】
以上のような構成の本発明に係るＤＣ／ＤＣコンバータ３０によれば、そのＤＣ／ＤＣ変換回路３４とオシレータ３２が、蓄積コンデンサＣと負荷６上の出力電圧Ｖｏｕｔによって制御されるため、常にオン状態に保持されるということがなくなる。よって、本発明によれば、ＤＣ／ＤＣ変換回路３４とオシレータ３２によって消費される電力が減少するため、回路全体の消費電力を低減することができる。
【００３５】
また、図５に示されるように、本発明に係るＤＣ／ＤＣコンバータ３０は、電圧差が小さすぎることによる誤動作を回避すべく、第１および第２抵抗Ｒ４およびＲ５とシュミットトリガーＳＴとの間に接続して、第１の電圧を増幅する増幅器３９をさらに備えていてもよい。
【００３６】
図６に示すのは、上述のＤＣ／ＤＣコンバータ３０を備えた電力を消費する装置、例えばＬＣＤディスプレイシステム１１０を含んで構成される電子デバイス１００の概略図である。電子デバイス１００は、例えば、ＰＤＡ、ノートブック型コンピュータ、タブレットコンピュータ、携帯電話または表示モニター装置等である。このような電子デバイス１００は通常、筐体１２０、ＤＣ／ＤＣコンバータ３０および表示素子１３０を有するディスプレイシステム１１０、ならびにユーザインターフェース１４０等から構成される。本発明に係るＤＣ／ＤＣコンバータ３０は、この電子装置に搭載されて、表示素子１３０とユーザインターフェース１４０を駆動する出力電圧を供給するものとして機能する。
【００３７】
なお、上述では、本発明に係るＤＣ／ＤＣコンバータをＬＣＤディスプレイシステムに用いられるものとして説明したが、本発明に係るＤＣ／ＤＣコンバータは、その他のタイプのディスプレイ、例えば、プラズマディスプレイ素子、または冷陰極線管（ＣＲＴ）表示素子などにも適用可能である。
【００３８】
以上、好適な実施形態を挙げて本発明を説明したが、本発明はこれら実施形態に限定はされないと解されるべきであり、つまり本発明は、（当業者であれば自明であるような）各種変更や類似する構成を全て包含するものである。したがって、特許請求の範囲は、かかる各種変更や類似する構成全てが包含されるような、最も広い意味に解釈されなければならない。
【図面の簡単な説明】
【００３９】
【図１】公知のＤＣ／ＤＣコンバータを示す回路図である。
【図２】別な公知のＤＣ／ＤＣコンバータを示す回路図である。
【図３】本発明の一実施形態によるＤＣ／ＤＣコンバータを示す回路図である。
【図４】本発明に係るＤＣ／ＤＣコンバータの出力波形図である。
【図５】本発明の別な一実施形態によるＤＣ／ＤＣコンバータを示す回路図である。
【図６】本発明に係るＤＣ／ＤＣコンバータを、ディスプレイシステムを備える電子デバイスに用いた場合の態様を説明する概略図である。
【符号の説明】
【００４０】
３０          ＤＣ／ＤＣコンバータ
３２          オシレータ
３４          ＤＣ／ＤＣ変換回路
３６          検出回路
３７          スイッチ
３８          制御回路
ＳＴ          シュミットトリガー
ＩＮＶ１      インバータ
Ｖ１          第１の電圧
Ｓ１          第１の制御信号
Ｓ２          第２の制御信号
Ｃ            蓄積コンデンサ
Ｒ６          負荷
Ｒ４，Ｒ５    抵抗
１００        電子装置
１１０        ディスプレイシステム
１２０        筐体
１３０        表示素子
１４０        ユーザインターフェース
【図１】
2006087226.tif 000003
【図２】
2006087226.tif 000004
【図３】
2006087226.tif 000005
【図４】
2006087226.tif 000006
【図５】
2006087226.tif 000007
【図６】
2006087226.tif 000008